(57)【特許請求の範囲】
【請求項１】
正極及び負極を有する電極組立体と、前記電極組立体を収容するケースと、前記ケースの内部の気体を前記ケースの外部に排出する開放弁とを有する蓄電装置が、一方向に並設される蓄電モジュールであって、
前記開放弁を挟んで互いに対向するように配置され、前記一方向に延在する一対の延設部と、
前記ケースにおいて前記開放弁が設けられる面である設置面に対向するように、前記設置面に対し前記延設部を介して設けられるカバー部と、
前記延設部と前記設置面と前記カバー部とによって囲まれる前記一方向に延在する空間において前記カバー部及び前記延設部を覆う被覆部と、を備え、
前記被覆部と前記設置面とによって囲まれる前記一方向に延在する空間によって、前記開放弁から排出される前記気体の流通路が形成されており、
前記被覆部は金属から形成され、前記被覆部と前記設置面との間には絶縁部材が配置されている、蓄電モジュール。
【請求項２】
前記カバー部及び前記延設部が樹脂により形成され、前記被覆部が耐熱性の材料により形成されている、請求項１に記載の蓄電モジュール。
【請求項３】
前記一方向に延在する前記被覆部の延在方向における両端部に放熱部が設けられており、
前記放熱部は、前記一方向に延在する前記流通路の外側において、前記一方向と交差する方向に延びている、請求項１又は２に記載の蓄電モジュール。
【請求項４】
前記一方向に並設される複数の前記蓄電装置の前記一方向における両端には、複数の前記蓄電装置を加圧して拘束する一対のエンドプレートが配置され、
前記エンドプレートは、金属により形成され、
前記放熱部は、前記流通路の外側において前記エンドプレートに接続されている、請求項３に記載の蓄電モジュール。
【請求項５】
前記被覆部と前記カバー部との間及び前記被覆部と前記延設部との間の少なくとも一方には空気層が形成されている、請求項１〜４の何れか一項に記載の蓄電モジュール。
【請求項６】
前記被覆部と前記カバー部との間及び前記被覆部と前記延設部との間の少なくとも一方には断熱材が配置されている、請求項１〜５の何れか一項に記載の蓄電モジュール。
【発明の詳細な説明】
【技術分野】
【０００１】
本発明は、蓄電装置から排出される気体を排出する通路を有する蓄電モジュールに関する。
【背景技術】
【０００２】
正極及び負極からなる電極組立体ケース内に収容された蓄電装置が知られている。このような蓄電装置では、ケースの内圧が規定圧力を超えた場合に、ケースの内部からケースの外部に気体を排出することにより、ケースの内圧を低下させる開放弁が設けられている。
【０００３】
このような開放弁が設けられた蓄電装置を有する蓄電モジュールが、例えば、特許文献１に開示されている。特許文献１に記載の蓄電モジュール（バッテリモジュール）は、蓄電装置（バッテリセル）の並設方向に沿って延在すると共に複数の開放弁（排出孔）を上方から覆うカバーを備えている。蓄電装置の開放弁から排出された気体は、蓄電モジュールの上面とカバーとによって囲まれる空間から形成される通路を介して排出される。
【先行技術文献】
【特許文献】
【０００４】
【特許文献１】特開２０１２−８９４９９号公報
【発明の概要】
【発明が解決しようとする課題】
【０００５】
ところで、環境温度による膨張、収縮の繰り返しなどによってカバーが変形すると、蓄電モジュールとカバーとの間に隙間が形成され、この隙間から気体が漏れ出すおそれがある。これらの気体は、周囲の電子部品などに影響を及ぼすおそれがある。このため、開放弁から排出される気体を流通させる通路を設けた場合には、当該通路から気体が漏れ出すことを抑制することが望まれている。
【０００６】
そこで、本発明は、蓄電装置の開放弁から排出される気体の流通路を設けた場合であっても、当該流通路から気体が漏れ出すことを抑制することができる蓄電モジュールを提供することを目的とする。
【課題を解決するための手段】
【０００７】
本発明の蓄電モジュールは、正極及び負極を有する電極組立体と、電極組立体を収容するケースと、ケースの内部の気体をケースの外部に排出する開放弁とを有する蓄電装置が、一方向に並設される蓄電モジュールであって、開放弁を挟んで互いに対向するように配置され、一方向に延在する一対の延設部と、ケースにおいて開放弁が設けられる面である設置面に対向するように、設置面に対し延設部を介して設けられるカバー部と、延設部と設置面とカバー部とによって囲まれる一方向に延在する空間においてカバー部及び延設部を覆う被覆部と、を備え、被覆部と設置面とによって囲まれる一方向に延在する空間によって、開放弁から排出される気体の流通路が形成されている。
【０００８】
この構成の蓄電モジュールでは、延設部とカバー部とによって囲まれることにより形成される一方向に延在する空間において、カバー部及び延設部が被覆部によって覆われている。これにより、流通路を流れる高温の気体からの熱がカバー部及び延設部へ伝わりにくくなり、カバー部及び延設部が熱変形することにより流通路に隙間が発生することが抑制される。この結果、流通路から気体が漏れ出すことを抑制できる。
【０００９】
本発明の蓄電モジュールでは、カバー部及び延設部が樹脂により形成され、被覆部が耐熱性の材料により形成されてもよい。
【００１０】
この構成の蓄電モジュールでは、流通路を流れる気体に直接接する部分である被覆部が耐熱性の材料により形成されているので、流通路を流れる気体に直接接しない部分である延設部及びカバー部は、耐熱性の材料を用いることなく、耐熱性の材料に比べて安価な樹脂により形成することができる。これにより、安価に蓄電モジュールを製造することができる。
【００１１】
本発明の蓄電モジュールでは、被覆部が金属により形成されてもよい。
【００１２】
この構成の蓄電モジュールによれば、伝熱性の高い金属によって流通路が覆われているので、流通路の外部に放熱することが可能となり、カバー部の温度上昇を抑制することができる。
【００１３】
本発明の蓄電モジュールでは、被覆部に放熱部が設けられていてもよい。
【００１４】
この構成の蓄電モジュールによれば、被覆部から熱が放熱されるので被覆部の温度上昇を抑制することができる。これにより、被覆部を介してカバー部及び延設部に熱が伝わりにくくなり、カバー部及び延設部の温度上昇を抑制することができる。
【００１５】
本発明の蓄電モジュールでは、一方向に並設される複数の蓄電装置の一方向における両端には、複数の蓄電装置を加圧して拘束する一対のエンドプレートが配置され、エンドプレートは、金属により形成され、被覆部は、エンドプレートに接続されてもよい。
【００１６】
この構成の蓄電モジュールでは、複数の蓄電装置を加圧して拘束する一対のエンドプレートを放熱部として利用している。これにより、熱容量の大きな部材であるエンドプレートを放熱部として利用することができるので、効率的にカバー部材の温度上昇を抑制することができる。
【００１７】
本発明の蓄電モジュールでは、被覆部とカバー部との間及び被覆部と延設部との間の少なくとも一方に空気層が形成されてもよい。
【００１８】
この構成の蓄電モジュールによれば、被覆部とカバー部との間及び被覆部と延設部との間の熱伝導性が低くなるので、カバー部及び延設部の温度上昇をより一層抑制することができる。
【００１９】
本発明の蓄電モジュールでは、被覆部とカバー部との間及び被覆部と延設部との間の少なくとも一方に断熱材が配置されていてもよい。
【００２０】
この構成の蓄電モジュールによれば、被覆部とカバー部との間及び被覆部と延設部との間の熱伝導性が低くなるので、カバー部及び延設部の温度上昇をより一層抑制することができる。
【発明の効果】
【００２１】
本発明によれば、蓄電装置の開放弁から排出される気体を流通させるための通路を設けた場合であっても、当該通路から気体が漏れ出すことを抑制することができる。
【図面の簡単な説明】
【００２２】
【図１】一実施形態に係る電池モジュールの全体構成を示す斜視図である。
【図２】図１の電池モジュールにおける二次電池の並設方向に直交する面に沿って切断したときの断面図である。
【図３】図１に示す第１電池ホルダ及び第２電池ホルダをそれぞれ示す斜視図である。
【図４】図１の電池モジュールに含まれる二次電池を示す断面図である。
【図５】図１に示す被覆部材及び放熱部を示す斜視図である。
【図６】変形例に係る電池モジュールにおける流通路の構成を示す断面図である。
【図７】変形例に係る電池モジュールにおける流通路の構成を示す断面図である。
【発明を実施するための形態】
【００２３】
以下、図面を参照して一実施形態について説明する。図面の説明において、同一要素には同一符号を付し、重複する説明を省略する。図面の寸法比率は、説明のものと必ずしも一致していない。また、説明中、「上」、「下」などの方向を示す語は、図面に示された状態に基づいた便宜的な語である。図１、図３（Ａ）、図３（Ｂ）及び図５には、説明の便宜のためにＸ軸及びＹ軸が設定されている。
【００２４】
一実施形態に係る電池モジュール（蓄電モジュール）１０について説明する。図１及び図２に示されるように、電池モジュール１０は、例えば、リチウムイオン二次電池又はニッケル水素蓄電池などの複数の二次電池（蓄電装置）１１を有する。複数の二次電池１１は、第１電池ホルダ２１又は第２電池ホルダ４１に保持された状態でＸ軸方向（一方向）に沿って並設されている。
【００２５】
二次電池１１の並設方向（Ｘ軸方向）の両端には、金属製のエンドプレート１２，１２がそれぞれ設けられている各エンドプレート１２，１２、第１電池ホルダ２１及び第２電池ホルダ４１には、ボルトＢが挿通されている。ボルトＢは、一方のエンドプレート１２から他方のエンドプレート１２に向けて挿通され、他方のエンドプレート１２側でナットＮに螺合されている。一対のエンドプレート１２，１２は、複数の二次電池１１を加圧して拘束する。各エンドプレート１２，１２には、ボルトなどの締結部によってブラケット１４が固定されている。ブラケット１４は、電池パックとして複数の電池モジュールが収容される筐体の側壁（図示せず）などに固定される。
【００２６】
本実施形態では、第１電池ホルダ２１及び第２電池ホルダ４１の２種類の電池ホルダが用いられている。第１電池ホルダ２１及び第２電池ホルダ４１は、一方向（Ｘ軸方向）に沿って交互に配置されている。以下、第１電池ホルダ２１及び第２電池ホルダ４１が二次電池１１を保持した際の二次電池１１の厚み方向（図４に示される電極組立体５２の積層方向）、幅方向（接続端子５５，５５の配列方向）、厚み方向及び幅方向に直交する方向を、それぞれ「Ｘ軸方向」、「Ｙ軸方向」、「高さ方向」として説明する。
【００２７】
まず、第１電池ホルダ２１について説明する。図３（Ａ）に示されるように、第１電池ホルダ２１は、矩形平板状の下面部２２、第１側面部２３、第２側面部２４、第３側面部２５、脚部２９、端子収容部３１，３１、柱部材３２，３３、係止突起（固定部）３７，３８、及び突出部２６，２６を有している。
【００２８】
下面部２２は、二次電池１１を保持する時に、二次電池１１の底面を覆う部分である。第１側面部２３及び第２側面部２４は、下面部２２のＹ軸方向両端に互いに対向するように配置され、高さ方向に延在している。第１側面部２３及び第２側面部２４は、二次電池１１を保持する時に、二次電池１１の側面（図４に示される電極組立体５２の積層方向に沿った面）を覆う部分である。第３側面部２５は、厚み方向をＸ軸方向に向けて、第１側面部２３及び第２側面部２４を接続するように設けられている。第３側面部２５の上端２５Ａの位置は、第１側面部２３及び第２側面部２４の上端の位置２３Ａ，２４Ａに一致する。第３側面部２５は、二次電池１１を保持する時に、二次電池１１の一方の主面（図４に示される電極組立体５２を構成する電極の積層方向に直交する面）を覆う部分である。
【００２９】
脚部２９は、第１側面部２３及び第２側面部２４の高さ方向におけるそれぞれの下端部の位置２３Ｃ，２４Ｃに設けられている。脚部２９は、Ｘ軸方向に沿って貫通する挿通孔２９Ａが設けられている。挿通孔２９Ａは、上述したボルトＢが挿通される。
【００３０】
端子収容部３１，３１は、第３側面部２５のＹ軸方向における両端の上部において、第１側面部２３及び第２側面部２４にそれぞれ連設するように設けられている。端子収容部３１，３１は、Ｘ軸方向にＵ字状に開口している。端子収容部３１，３１は、二次電池１１を保持する時に、二次電池１１の接続端子５５，５５をそれぞれ囲う部分である。
【００３１】
柱部材３２，３３は、第３側面部２５の上端２５Ａにおいて、端子収容部３１、３１のそれぞれに隣り合って設けられている。柱部材３２，３３は、Ｘ軸方向に延在する四角柱状の柱部材であり、その長さは、下面部２２のＸ軸方向長さに一致する。柱部材３２，３３のそれぞれには、Ｘ軸方向に沿って貫通する挿通孔３２Ａ，３３Ａが設けられている。挿通孔３２Ａ，３３Ａには、上述したボルトＢが挿通される。
【００３２】
第１電池ホルダ２１では、上述した第１側面部２３、第２側面部２４、第３側面部２５、柱部材３２，３３によって囲まれる空間によって、二次電池１１が収容される収容部Ｓ１が形成されている。
【００３３】
係止突起３７，３８は、柱部材３２，３３のそれぞれの上端に設けられている。係止突起３７，３８は、高さ方向において柱部材３２，３３から収容部Ｓ１とは反対の方向に突起している。係止突起３７，３８のそれぞれの先端には、三角柱状をなす係止部３６、３６が形成されている。柱部材３２に設けられる係止突起３７と柱部材３３に設けられる係止突起３８とは、Ｘ軸方向に若干ずれて設けられている。
【００３４】
突出部２６，２６は、第１側面部２３及び第２側面部２４のそれぞれの上端の位置２３Ａ，２３Ｂに設けられている。突出部２６，２６は、互いに対向するように配置され、高さ方向に延在している。突出部２６，２６において、突出部２６、２６が互いに対向するそれぞれの面には、突出部２６，２６のＹ軸方向に突出する突起２７，２７が設けられている。
【００３５】
次に、第２電池ホルダ４１について説明する。図３（Ｂ）に示されるように、第２電池ホルダ４１は、係止突起３７，３８を有さない点を除いて、第１電池ホルダ２１と同一の構造となっている。このため、第１電池ホルダ２１と同一部分には第１電池ホルダ２１と同一の符号を付して説明を省略する。
【００３６】
図４に示されるように、上述の第１電池ホルダ２１又は第２電池ホルダ４１に保持される二次電池１１が有する電極組立体５２は、ケース５１の内部に収容されている。電極組立体５２は、正極及び負極を有している。ケース５１は、電極組立体５２を収容する有底箱状の本体部５３と、本体部５３の開口部を閉塞する板状の蓋部５４とから構成されている。蓋部５４の上面（設置面）５４Ａには、接続端子５５，５５（正極端子及び負極端子）が設けられている。蓋部５４には、ケース５１の内圧が閾値まで上昇したときに、破断してケース５１の内圧が開放される開放弁５７が設けられている。「閾値」は、ケース５１の内圧が高まったときに、ケース５１の内圧によってケース５１が破損する前に開放弁５７が破断するように設定される。接続端子５５，５５は、導電部材５８を介して電極組立体５２に電気的に接続されている。
【００３７】
図１及び図２に示されるように、電池モジュール１０は、第１電池ホルダ２１又は第２電池ホルダ４１に保持される二次電池１１の開放弁５７が設けられた蓋部５４の上面５４Ａと対向して配置されるカバー部材（カバー部）６０を有している。カバー部材６０には、例えば、二次電池１１の充放電に寄与する電子部品や、電池モジュール１０の制御を行う電池ＥＣＵなどが載置される。カバー部材６０は、二次電池１１の並設方向に並んで設けられる第１カバー部材（カバー部）６１と第２カバー部材（カバー部）６２とを含んでいる。第１カバー部材６１と第２カバー部材６２とは、樹脂により形成されている。
【００３８】
図１に示されるように、第１カバー部材６１は、本体部６１Ａと、一対の立設部６１Ｄ，６１Ｄと、一対の延設部６１Ｅ，６１Ｅと、を有している。以下、図１に示されるように、第１電池ホルダ２１及び第２電池ホルダ４１に保持された二次電池１１の並設方向をＸ軸方向とも称す。
【００３９】
本体部６１Ａは、二次電池１１における蓋部５４の上面５４Ａに対向するように設けられている。本体部６１Ａは、矩形平板状に形成されている。一対の立設部６１Ｄ，６１Ｄは、本体部６１ＡのＹ軸方向における両端に設けられている。一対の立設部６１Ｄ，６１Ｄは、本体部６１Ａにおいて高さ方向上方に立設されており、互いに対向している。
【００４０】
一対の延設部６１Ｅ，６１Ｅは、本体部６１Ａにおいて立設部６１Ｄ，６１Ｄが設けられている面とは反対側の面に設けられている。一対の延設部６１Ｅ，６１Ｅは、本体部６１Ａから高さ方向下方に突出しており、二次電池１１の開放弁５７を挟んで互いに対向するように配置されている。また、一対の延設部６１Ｅ，６１Ｅは、本体部６１ＡのＸ軸方向（一方向）全体に亘って延在している。一対の延設部６１Ｅ，６１Ｅは、本体部６１Ａから二次電池１１の蓋部５４側に突出して蓋部５４の上面５４Ａに接触している。言い換えれば、本体部６１Ａは、蓋部５４の上面５４Ａに対し、延設部６１Ｅ，６１Ｅを介して設けられている。
【００４１】
第１カバー部材６１の本体部６１Ａには、本体部６１Ａの厚み方向に貫通する４つの貫通孔７１Ａ，７１Ａ，７１Ｂ，７１Ｂが形成されている。Ｙ軸方向に向かい合うように設けられた一対の貫通孔７１Ａ，７１Ａ及び貫通孔７１Ｂ，７１Ｂのそれぞれは、本体部６１ＡにおいてＸ軸方向に若干ずれて形成されている。一対の貫通孔７１Ａ，７１Ａ及び貫通孔７１Ｂ，７１Ｂのそれぞれのずれ幅は、柱部材３２，３３にそれぞれ設けられた係止突起３７，３８のずれ幅と同一となっている。
【００４２】
図１に示されるように、第２カバー部材６２は、本体部６２Ａに設けられる貫通孔７１Ｃ，７１Ｃの位置及び個数が異なる点を除いて、第１カバー部材６１と同一の構成を有する。ここでは、第１カバー部材６１と同一部分については説明を省略し、貫通孔７１Ｃ，７１Ｃの位置についてのみ説明を行う。
【００４３】
第２カバー部材６２の本体部６２Ａには、本体部６２Ａの厚み方向に貫通する一対の貫通孔７１Ｃ，７１Ｃが形成されている。Ｙ軸方向に向かい合うように設けられた一対の貫通孔７１Ｃ，７１Ｃは、本体部６２ＡにおいてＸ軸方向に若干ずれて形成されている。一対の貫通孔７１Ｃ，７１Ｃのずれ幅は、柱部材３２，３３にそれぞれ設けられた係止突起３７，３８のずれ幅と同一となっている。
【００４４】
図２に示されるように、カバー部材６０は、第１カバー部材６１の本体部６１Ａと第２カバー部材６２の本体部６２Ａのそれぞれが、二次電池１１における開放弁５７が設けられた蓋部５４の上面５４Ａと対向し、第１カバー部材６１の立設部６１Ｄと第２カバー部材６２の立設部６２Ｄのそれぞれが、突出部２６，２６に沿うように配置されている。
【００４５】
本実施形態では、第１カバー部材６１の本体部６１Ａ及び第２カバー部材６２の本体部６２Ａが、カバー部材６０の本体部６０Ａを構成し、第１カバー部材６１の立設部６１Ｄ及び第２カバー部材６２の立設部６２Ｄが、カバー部材６０の立設部６０Ｄを構成している。このため、以下、第１カバー部材６１の本体部６１Ａ及び第２カバー部材６２の本体部６２Ａをカバー部材６０の本体部６０Ａとして、第１カバー部材６１の立設部６１Ｄ及び第２カバー部材６２の立設部６２Ｄをカバー部材６０の立設部６０Ｄとして、第１カバー部材６１の延設部６１Ｅ及び第２カバー部材６２の延設部６２Ｅをカバー部材６０の延設部６０Ｅとして説明を行う。
【００４６】
カバー部材６０の本体部６０Ａには、３組の一対の貫通孔７１Ａ，７１Ｂ，７１Ｃが形成されている。Ｘ軸方向に隣り合う貫通孔７１Ａ，７１Ｂ，７１Ｃ同士の離間距離は、二次電池１１を保持する第１電池ホルダ２１のＸ軸方向に隣り合う係止突起３７，３８同士の離間距離と同一となっている。貫通孔７１Ａ，７１Ｂ，７１Ｃのそれぞれには、第１電池ホルダ２１の係止突起３７，３８が貫通されている。貫通孔７１Ａ，７１Ｂ，７１Ｃをそれぞれ貫通した係止突起３７，３８は、係止部３６が貫通孔７１Ａ，７１Ｂ，７１Ｃの縁（本体部６０Ａ）と係止し合っている。カバー部材６０の立設部６０Ｄは、第１電池ホルダ２１及び第２電池ホルダ４１の突出部２６に沿うように配置されており、立設部６０Ｄの上端は、突出部２６に設けられた突起２７に係止されている。
【００４７】
図１及び図２に示されるように、カバー部材６０は、本体部６０Ａにおいて一対の延設部６０Ｅが設けられた面６０Ｂが二次電池１１の蓋部５４の上面５４Ａと対向するように配置されている。また、一対の延設部６０Ｅ，６０Ｅは、二次電池１１の開放弁５７を挟んで互いに対向するように配置され、Ｘ軸方向に延在している。これにより、カバー部材６０は、二次電池１１において開放弁５７が設けられる蓋部５４の上面５４Ａに対向するように設けられることになると共に、上面５４Ａに対し一対の延設部６０Ｅ，６０Ｅを介して設けられることになる。
【００４８】
カバー部材６０の本体部６０Ａと一対の延設部６０Ｅ，６０Ｅと蓋部５４とによって囲まれるＸ軸方向に延在する空間には、本体部６０Ａ及び一対の延設部６０Ｅ，６０Ｅを覆うように耐熱性の被覆部材（被覆部）９０が設けられている。これにより、蓋部５４と被覆部材９０とによって囲まれるＸ軸方向に延在する空間によって、開放弁５７から排出される気体の流通路８１が形成される。なお、被覆部材９０は、接着により本体部６０Ａ及び一対の延設部６０Ｅ，６０Ｅに固定されてもよいし、圧入又は嵌合させることにより本体部６０Ａ及び一対の延設部６０Ｅ，６０Ｅに固定されてもよい。
【００４９】
図５に示されるように、被覆部材９０は、被覆本体部９１と、放熱部９３と、を有している。被覆本体部９１及び放熱部９３は、金属により形成されている。被覆本体部９１は、図２に示されるように、流通路８１において、本体部６０Ａ及び延設部６０Ｅを覆う部分であり、Ｘ軸方向に沿って延在している。被覆本体部９１とケース５１の蓋部５４との間には、絶縁部材９７が設けられる。絶縁部材９７は、Ｘ軸方向に沿って延在する、二次電池１１から被覆部材９０への通電を防止する部材である。被覆本体部９１の延在方向（Ｘ軸方向）における両端部には、熱を放出する放熱部９３が設けられている。
【００５０】
放熱部９３の略中心部には、厚み方向（Ｘ軸方向）に貫通する貫通孔９３Ａが設けられている。当該貫通孔９３Ａには、二次電池１１を保持する第１電池ホルダ２１及び第２電池ホルダ４１を、一対のエンドプレート１２，１２によって加圧して固定するためのボルトＢが挿通される。これにより、放熱部９３は、エンドプレート１２、第１電池ホルダ２１及び第２電池ホルダ４１と一体的に固定される。
【００５１】
上述したとおり、被覆部材９０は、金属により形成されている。金属の例には、鉄、アルミニウム及びステンレスなどが含まれる。被覆部材９０として鉄を用いた場合には、少なくとも開放弁５７から排出される気体に接触する部分は、亜鉛メッキ処理などの防錆処理が施されていることが好ましい。
【００５２】
次に、本実施形態の電池モジュール１０の作用効果について説明する。二次電池１１に異常などが発生し、ケース５１の内圧が閾値に達すると、開放弁５７が破断し、蓋部５４と被覆部材９０とによって囲まれるＸ軸方向に延在する流通路８１に高温の気体が排出される。流通路８１に排出された気体は、二次電池１１の並設方向に流れて、電池モジュール１０の周辺に排出される。
【００５３】
本実施形態の電池モジュール１０によれば、延設部６０Ｅ，６０Ｅとカバー部材６０とによって囲まれることにより形成される一方向に延在する空間において、カバー部材６０及び延設部６０Ｅ，６０Ｅが被覆部材９０によって覆われている。これにより、流通路８１を流れる高温の気体からの熱がカバー部材６０及び延設部６０Ｅ，６０Ｅへ伝わりにくくなり、カバー部材６０及び延設部６０Ｅ，６０Ｅが熱変形することにより流通路８１に隙間が発生することが抑制される。この結果、流通路８１の密閉性を確保することができ、流通路８１から気体が漏れ出すことを抑制できる。
【００５４】
また、本実施形態の電池モジュール１０では、被覆部材９０が熱伝導性の高い金属によって形成され、被覆部材９０の両端に放熱部９３が設けられている。このため、二次電池１１の開放弁５７から排出された高温の気体からの熱が、被覆部材９０によってＸ軸方向（二次電池１１が並設された方向）に伝熱され、放熱部９３に伝熱される。放熱部９３は、被覆部材９０から伝熱された熱を放熱する。これにより、被覆部材９０の温度上昇が抑制され、被覆部材９０に接触するカバー部材６０の温度上昇が抑制される。
【００５５】
本実施形態の電池モジュール１０では、放熱部９３が、複数の二次電池１１を加圧して拘束する一対のエンドプレート１２，１２に一体的に取り付けられているので、エンドプレート１２，１２からも被覆部材９０から伝熱される熱を放熱することができる。また、ブラケット１４などを介して一対のエンドプレート１２，１２を蓄電パックの筐体などに取り付けてもよい。蓄電パックの筐体は、被覆部材９０から伝熱された熱を放熱する。
【００５６】
また、金属により形成された被覆部材９０が配置されるので、流通路８１の強度が向上する。これにより、例えば、被覆部材９０に治具を引っ掛けることが可能となる。この結果、容易に電池モジュール１０を移動させることが可能となり搬送性が向上する。また、被覆部材９０に治具を引っ掛ける場合には、一対のエンドプレート１２，１２から被覆部材９０が飛び出すような構成とすることが好ましい。これにより、被覆部材９０に治具を引っ掛けることがより容易となり、更に搬送性が向上する。
【００５７】
本実施形態の電池モジュール１０では、二次電池１１から排出される気体が流れる流通路８１において、カバー部材６０は被覆部材９０により覆われるので、カバー部材６０は、二次電池１１から排出される高温の気体に直接触れることがなくなる。このため、耐熱性に優れた樹脂を用いてカバー部材６０を形成する必要がなくなり、製造コストを低減することができる。
【００５８】
以上、本発明の一実施形態について説明したが、本発明は上記実施形態に限定されない。発明の趣旨を逸脱しない範囲で種々の変更が可能である。
【００５９】
＜変形例１＞
上記実施形態の電池モジュール１０では、カバー部材６０の本体部６０Ａと延設部６０Ｅと蓋部５４とによって囲まれる二次電池１１の並設方向（Ｘ軸方向）に延在する部分において、本体部６０Ａ及び延設部６０Ｅを覆う形状の被覆部材９０が配置されている例を挙げて説明したが、本発明はこれに限定されない。
【００６０】
例えば、図６に示されるように、被覆部材（被覆部）１９０の形状を変更してもよい。具体的には、被覆本体部１９１においてカバー部材６０の本体部６０Ａに対向する面１９１Ａ及びカバー部材６０の延設部６０Ｅに対向する面１９１Ｂにスペーサ１９５が設けられてもよい。被覆部材１９０は、カバー部材６０の延設部６０Ｅに設けられたＸ軸方向に直交する断面が三角形状のベース部１９３に支持される。ベース部１９３は、絶縁材料により形成されており、Ｘ軸方向に沿って延在している。スペーサ１９５は、Ｘ軸方向に沿って被覆本体部１９１と同じ長さであってもよい。また、Ｘ軸方向に所定長さである複数のスペーサ１９５が、Ｘ軸方向に沿って所定の間隔をあけて設けられてもよい。なお、ベース部１９３は、Ｘ軸方向に直交する断面が矩形状であってもよい。また、ベース部１９３は、延設部６０Ｅに設けられることなく、被覆本体部１９１と蓋部５４との間に配置されてもよい。
【００６１】
このようなスペーサ１９５が設けられた形状の被覆部材１９０に変更した場合、カバー部材６０と被覆部材１９０とによって囲まれる空間に空気層１９７を設けることができる。このような空気層１９７が形成されると、被覆部材１９０とカバー部材６０との間の熱伝導性が低下する。これにより、流通路１８１を流れる高温の気体の熱がカバー部材６０に伝わるのを抑制でき、カバー部材６０の変形を抑制できる。
【００６２】
なお、空気層１９７は、被覆部材１９０（被覆本体部１９１）とカバー部材６０の本体部６０Ａとの間及び被覆部材１９０（被覆本体部１９１）とカバー部材６０の延設部６０Ｅとの間の一方に形成されてもよい。被覆部材１９０（被覆本体部１９１）とカバー部材６０の本体部６０Ａとの間にのみ空気層１９７を形成した場合には、ベース部１９３を無くし、上記実施形態と同様に、カバー部材６０の延設部６０Ｅを簡易な形状とすることができる。また、被覆部材１９０（被覆本体部１９１）とカバー部材６０の延設部６０Ｅとの間にのみ空気層１９７を形成すると、流通路１８１の断面積を確保できる。なお、カバー部材６０と被覆部材１９０との間に空気層１９７を形成するための構成は、スペーサ１９５を設ける構成に限らない。
【００６３】
＜変形例２＞
また、図２に示される上記実施形態のカバー部材６０（本体部６０Ａ及び延設部６０Ｅ）と被覆部材９０との間に断熱材が配置されてもよい。例えば、図７に示されるように、カバー部材６０の本体部６０Ａ及び延設部６０Ｅと蓋部５４とによって囲まれるＸ軸方向に延在する部分に、本体部６０Ａ及び延設部６０Ｅを覆うように耐熱性の被覆部材（被覆部）２９０を配置されると共に、被覆部材２９０（被覆本体部２９１）と本体部６０Ａとの間及び被覆部材２９０（被覆本体部２９１）と延設部６０Ｅとの間の少なくとも一方に断熱材２９３を配置されてもよい。このような構成の流通路２８１とすれば、カバー部材６０の温度上昇をより一層抑制することができる。
【００６４】
また、被覆部材２９０（被覆本体部２９１）と本体部６０Ａとの間及び被覆部材２９０（被覆本体部２９１）と延設部６０Ｅとの間の一方に断熱材２９３が配置され、他方に変形例１で説明した空気層１９７が形成されてもよい。
【００６５】
＜変形例３＞
また、上記実施形態の被覆部材９０のＸ軸方向における両端に設けられる放熱部９３がエンドプレート１２に一体的に固定される例を挙げて説明したが、本発明はこれに限定されない。
【００６６】
例えば、被覆部材９０のＸ軸方向における両端に放熱部９３が設けられないで、被覆部材９０の両端がエンドプレート１２に直接接続されてもよい。また、被覆部材９０のＸ軸方向における一方の端部に放熱部９３が設けられないで、被覆部材９０の一方の端部がエンドプレート１２に直接接続されてもよい。また、被覆部材９０は、エンドプレート１２以外の熱容量の大きな部材に接続されてもよい。これらの場合であっても、被覆部材９０が接続される部材に所定の熱容量があれば、効率的にカバー部材６０の温度上昇を抑制することができる。
【００６７】
また、例えば、被覆部材９０は、一対のエンドプレート１２，１２にそれぞれ接続されず、Ｘ軸方向における両端に放熱部９３が設けられてもよい。また、被覆部材９０は、一方のエンドプレート１２には接続されず、エンドプレート１２に接続されない一方側の端部に放熱部９３が設けられてもよい。
【００６８】
＜その他の変形例＞
上記実施形態では、Ｘ軸方向に延在する一対の延設部６０Ｅ、６０Ｅは、カバー部材６０の一部として形成されている例を挙げて説明したが、本発明はこれに限定されない。例えば、一対の延設部６０Ｅ、６０Ｅは、第１電池ホルダ２１及び第２電池ホルダ４１の一部として形成されてもよいし、二次電池１１の蓋部５４の上面５４Ａの一部として設けられてもよい。また、一対の延設部６０Ｅ、６０Ｅは、独立した平板状の部材として設けられてもよい。
【００６９】
上記実施形態又は変形例に係る蓄電モジュールの流通路８１、１８１，２８１の断面積は、Ｙ軸方向において一対の延設部６０Ｅ，６０Ｅの位置を変えることで、適宜変更することができる。すなわち、Ｙ軸方向において、開放弁５７の幅よりも大きく係止突起３７，３８間の距離よりも小さな幅の範囲で一対の延設部６０Ｅ，６０Ｅの位置を変えることができる。
【００７０】
上記実施形態又は変形例に係るカバー部材６０は、複数のカバー部材（第１カバー部材６１及び第２カバー部材６２）から構成される例を挙げて説明したが、単一の部材からなるカバー部材６０であってもよい。同様に、電池ホルダについても、単一の部材から構成されてもよい。また、上記実施形態では、複数種類の電池ホルダ（第１電池ホルダ２１及び第２電池ホルダ４１）が用いられる例を挙げて説明したが、１種類の電池ホルダのみを用いてもよい。また、上記実施形態において係止突起３７，３８は、柱部材３２，３３の軸方向にずらさなくてもよい。この場合、貫通孔７１Ａ，７１Ｂ、７１Ｃもずらさなくてもよい。この場合、対応する貫通孔７１Ａ，７１Ｂ、７１Ｃにしか貫通できないように係止突起３７，３８の形状を変更して、第１カバー部材６１及び第２カバー部材６２の配置が逆になることを抑制してもよい。
【００７１】
上記実施形態では、第１電池ホルダ２１の柱部材３２，３３の両方に係止突起３７，３８を設けたが、いずれか一方の柱部材３２，３３にのみ係止突起３７，３８を設けてもよい。また、上記実施形態では、第１電池ホルダ２１の柱部材３２，３３に係止突起３７，３８を設けたが、他の位置に係止突起３７，３８を設けてもよい。
【００７２】
上記実施形態では、複数の電池ホルダからなる蓄電モジュールの例を挙げて説明したが、単数の電池ホルダが複数の二次電池１１を保持する構成の蓄電モジュールであってもよい。
【符号の説明】
【００７３】
１０…電池モジュール（蓄電モジュール）、１１…二次電池（蓄電装置）、１２…エンドプレート、２１…第１電池ホルダ、３７，３８…係止突起、４１…第２電池ホルダ、５１…ケース、５２…電極組立体、５４…蓋部、５４Ａ…蓋部の上面（設置面）、５７…開放弁、６０…カバー部材（カバー部）、６０Ａ…本体部、６０Ｄ…立設部、６０Ｅ…延設部、７１Ａ，７１Ｂ，７１Ｃ…貫通孔、８１，１８１，２８１…流通路、９０，１９０，２９０…被覆部材（被覆部）、９１，１９１，２９１…被覆本体部、９３…放熱部、９７…絶縁部材、１９３…ベース部、１９５…スペーサ、１９７…空気層、２９３…断熱材、Ｂ…ボルト、Ｎ…ナット。
【図１】
0006413476.tif 000002
【図２】
0006413476.tif 000003
【図３】
0006413476.tif 000004
【図４】
0006413476.tif 000005
【図５】
0006413476.tif 000006
【図６】
0006413476.tif 000007
【図７】
0006413476.tif 000008